(57)【要約】      （修正有）【課題】鞄本体に背をもたせ掛けることができるようにした座り心地の良い座部を備えた鞄を提供する。【解決手段】鞄本体１１と座部５１とを備え、地面に置かれた両者が左傾斜連結部３１、右傾斜連結部４１などで接続され、座部の上に足を投げ出して腰を下ろした状態で、鞄本体に背をもたせ掛けることができる。鞄本体は開閉可能な座部収納部１５を備え、座部は中央折り目部５２から二つ折りに折り重ね可能な左座部５３と右座部５４を備え、左座部と右座部を二つ折りに折り重ねた状態で座部収納部に収納できる。【選択図】図１
0003229713.tif 000002
【実用新案登録請求の範囲】
【請求項１】
鞄本体と座部とを備え、地面に置かれた前記鞄本体に地面に置かれた前記座部が接続され、前記座部の上に足を投げ出して腰を下ろした状態で、前記鞄本体に背をもたせ掛けることができるように構成された鞄において、
前記鞄本体は、開閉可能な座部収納部を備え、
前記座部は、中央折り目部から二つ折りに折り重ね可能な左座部と右座部を備え、
前記左座部と前記右座部とを二つ折りに折り重ねた状態で前記座部収納部に収納することができることを特徴とする座部を備えた鞄。
【請求項２】
前記左座部と前記右座部のそれぞれは変形を緩和抑制する芯材を備え、
前記芯材は、前記左座部と前記右座部のそれぞれの前後方向に伸びる縦芯と、前記左座部と前記右座部のそれぞれの左右方向に伸びる横芯とを備え、
前記座部に足を投げ出して腰を下ろした状態で、前記左座部と前記右座部のそれぞれの上に投げ出した左右の前記足の下に前記横芯が位置するように構成されたことを特徴とする請求項１に記載の座部を備えた鞄。
【請求項３】
前記鞄本体と前記座部とは分離可能であり、
前記左座部と前記右座部とのそれぞれの前部と、前記鞄本体の下部とが下部連結部を介して着脱可能に接続され、
前記左座部の左部と前記鞄本体の左部との間が左傾斜連結部を介して着脱可能に接続され、
前記右座部の右部と前記鞄本体の右部との間が右傾斜連結部を介して着脱可能に接続されたことを特徴とする請求項１又は２に記載の座部を備えた鞄。
【請求項４】
前記鞄本体と前記座部とは分離可能であり、
前記座部収納部は、前記鞄本体の後面に配置され、少なくとも下部が開くことによって前記座部を取り出すことができるように構成され、
前記座部収納部の内部には本体下部接続具を備え、
前記左座部と前記右座部とのそれぞれの前部に設けられた座前部接続具に対して、少なくとも下部が開いた前記座部収納部の前記本体下部接続具が着脱可能に接続され、
前記左座部はその左部に左傾斜ベルトを備え、前記右座部はその右部に右傾斜ベルトを備え、前記左傾斜ベルトと前記右傾斜ベルトのそれぞれの先端にベルト先端接続具を備え、
左右それぞれの前記ベルト先端接続具が、前記鞄本体の左右に設けられたサイド接続具に対して着脱可能に接続され、
左側の前記縦芯は前記左座部の左辺沿いに配置され、右側の前記縦芯は前記右座部の右辺沿いに配置され、
左側の前記横芯は前記左座部の後辺沿いに配置され、右側の前記横芯は前記右座部の後辺沿いに配置されたことを特徴とする請求項２に記載の座部を備えた鞄。
【考案の詳細な説明】
【技術分野】
【０００１】
本考案は、座部を備えた鞄に関するものである。
【背景技術】
【０００２】
従来、座部を備えた鞄としては、特許文献１や２に示されるように、脚部を備えた簡易な椅子に組み立てるものが提案されている。ところが特許文献１や２に示されるものは、構造が複雑であるとともに、安定して背中をもたれかけて休むというリラックスした姿勢を取りづらいと言う課題があった。
これに対して本願出願人は、鞄本体と座部とを備え、地面に置かれた鞄本体に地面に置かれた座部が接続され、座部の上に足を投げ出して腰を下ろした状態で、鞄本体に背をもたせ掛けることができるようにした鞄について、特許文献３及び４に示すように意匠登録を取得している。
本考案は、特許文献３及び４に示す鞄本体に背をもたせ掛けることができるようにした座部を備えた鞄をさらに改良して、座り心地の良さを高めた座部を備えた鞄を提供せんとする。
【先行技術文献】
【特許文献】
【０００３】
【特許文献１】登録実用新案第３２１８９１３号公報
【特許文献２】特許第５８５２６０３号公報
【特許文献３】意匠登録第１６５０６３７号公報
【特許文献４】意匠登録第１６５０６３８号公報
【考案の概要】
【考案が解決しようとする課題】
【０００４】
本考案は、鞄本体に背をもたせ掛けることができるようにした座部を備えた鞄をさらに改良して、座り心地の良さを高めた座部を備えた鞄を提供することを課題とする。
【課題を解決するための手段】
【０００５】
本考案は、鞄本体と座部とを備え、地面に置かれた前記鞄本体に地面に置かれた前記座部が接続され、前記座部の上に足を投げ出して腰を下ろした状態で、前記鞄本体に背をもたせ掛けることができるように構成された鞄において、前記鞄本体は、開閉可能な座部収納部を備え、前記座部は、中央折り目部から二つ折りに折り重ね可能な左座部と右座部を備え、前記左座部と前記右座部とを二つ折りに折り重ねた状態で前記座部収納部に収納することができることを特徴とする座部を備えた鞄を提供することで、上記の課題を解決する。
【０００６】
前記左座部と前記右座部のそれぞれは変形を緩和抑制する芯材を備え、前記芯材は、前記左座部と前記右座部のそれぞれの前後方向に伸びる縦芯と、前記左座部と前記右座部のそれぞれの左右方向に伸びる横芯とを備え、前記座部に足を投げ出して腰を下ろした状態で、前記左座部と前記右座部のそれぞれの上に投げ出した左右の前記足の下に前記横芯が位置するように構成されたものとして実施することができる。
【０００７】
また、前記鞄本体と前記座部とは分離可能であり、前記左座部と前記右座部とのそれぞれの前部と、前記鞄本体の下部とが下部連結部を介して着脱可能に接続され、前記左座部の左部と前記鞄本体の左部との間が左傾斜連結部を介して着脱可能に接続され、前記右座部の右部と前記鞄本体の右部との間が右傾斜連結部を介して着脱可能に接続されたものとして実施することができる。
【０００８】
さらに、前記鞄本体と前記座部とは分離可能であり、前記座部収納部は、前記鞄本体の後面に配置され、少なくとも下部が開くことによって前記座部を取り出すことができるように構成され、前記座部収納部の内部には本体下部接続具を備え、前記左座部と前記右座部とのそれぞれの前部に設けられた座前部接続具に対して、少なくとも下部が開いた前記座部収納部の前記本体下部接続具が着脱可能に接続され、前記左座部はその左部に左傾斜ベルトを備え、前記右座部はその右部に右傾斜ベルトを備え、前記左傾斜ベルトと前記右傾斜ベルトのそれぞれの先端にベルト先端接続具を備え、左右それぞれの前記ベルト先端接続具が、前記鞄本体の左右に設けられたサイド接続具に対して着脱可能に接続され、左側の前記縦芯は前記左座部の左辺沿いに配置され、右側の前記縦芯は前記右座部の右辺沿いに配置され、左側の前記横芯は前記左座部の後辺沿いに配置され、右側の前記横芯は前記右座部の後辺沿いに配置されたものとして実施することができる。
【考案の効果】
【０００９】
本考案は、座部のめくれ上がりを抑制することによって座り心地の良さを高めた座部を備えた鞄を提供することができたものである。
【図面の簡単な説明】
【００１０】
【図１】本考案の実施の形態に係る鞄であって、その座部を展開した状態の背面側からの斜視図である。
【図２】（Ａ）は同鞄であって鞄本体と座部とが分離した状態の背面側からの斜視図であり、（Ｂ）は同鞄であって鞄本体と座部とが一部接続されている状態の背面側からの斜視図である。
【図３】同鞄であって鞄本体の内部に座部が収納された状態の背面側からの斜視図である。
【図４】同鞄の正面側からの斜視図である。
【図５】（Ａ）は同鞄の使用状態の背面側からの説明図であり、（Ｂ）は従来の鞄の使用状態の背面側からの説明図である。
【考案を実施するための形態】
【００１１】
以下、図を参照して本考案の実施の形態を説明する。
この実施の形態に係る鞄は、鞄本体１１の後面側に左右の肩ベルト１４を備えた背負い鞄として実施されているが、肩掛け鞄やキャリーバッグなど、安定して地面に置くことができるものであれば適宜変更して実施することはできる
【００１２】
（概要）
この実施の形態に係る鞄は、主収納部を備えた鞄本体１１と、この鞄本体１１に対して着脱可能に設けられた座部５１とを備える（図１及び図２参照）。座部５１は、シート状をなしており二つ折りにされた状態で、鞄本体１１の後面に設けられた座部収納部１５に収納される。座部５１を収納した状態では、通常の肩掛け鞄と全く同じような外観を呈すると共に同じように使用することができる（図３及び図４参照）。
座部５１を使用する時には、シートを展開した状態で、鞄本体１１の下部と座部５１の前部とを下部連結部２１で接続するとともに、鞄本体１１の左右両側と座部５１の左右とを左傾斜連結部３１及び右傾斜連結部４１で接続する（図１及び図２参照）。この状態で、両足を投げ出して座部５１の上に腰をかけると、後ろの鞄本体１１にもたれても鞄本体１１が前に倒れることはなく、リラックスした状態で休むことができる。なお以下の説明では、図１及び図２の左側を左として説明し、右側を右として説明する。
【００１３】
（鞄本体１１について）
鞄本体１１は、図３及び図４に示すように、上部から前部にかけて、スライドファスナーによって開閉する前蓋１２を備えており、これによって主収納部の荷物の出し入れをすることができる。補助的な収納部は適宜設けることができ、例えば前蓋１２の内部に収納部を設けて蓋内開閉部１３から出し入れできるようにしたり、図示は省略するが鞄本体１１の左右両側にサイド開閉用のスライドファスナーを設けて横からも主収納部の中の荷物を出し入れできるようにしたりしても構わないし、ネット状のポケットを設けてペットボトルなどを入れておくことができるようにしても構わない。
肩ベルト１４は一般的なリュックサックと同様、鞄本体１１の上部の後ろ側から、鞄本体１１の下部の左右両側にかけて渡されており、長さの調整具を設けたり、堤手を左右の肩ベルト１４に渡したり、胴ベルトを付加したりするなどして実施することができる
【００１４】
（座部収納部１５について）
図１〜図３に示すように、鞄本体１１の後面には座部収納部１５が配置されており、座部収納部１５を開閉するための後蓋１６が鞄本体１１の後面のほぼ全体を覆うように配置されている。
この例では、使用者がもたれることを考慮して、メッシュ状の素材を後蓋１６の表面に配置して柔軟性と通気性を高めている。
また後蓋１６は、左右のスライドファスナー１７によって左右両辺と下辺が開閉可能となっており、鞄本体１１につながっている上辺をヒンジ部分として蓋全体を、上に跳ね上げるようにして開くことができる。なお左右のスライドファスナー１７のスライダー１８は、後蓋１６を閉じた状態では後蓋１６の下部に配置されており、全開状態では左右の上部に位置するものである
【００１５】
（座部５１について）
座部５１は、この実施の形態では全体として略長方形のシート状をなしており、合成樹脂製の織地の表裏のシートの間に弾性を有するクッション材が挟み込まれている柔軟シートで実施されているが、合成樹脂板や軽量の金属板などで実施しても構わない。
座部５１は、広げた状態では座部収納部１５の後蓋１６より大きく、前後方向に伸びる柔軟な中央折り目部５２から二つ折りに重ねることによって座部収納部１５に収納することができる。図１及び図２において、この中央折り目部５２から、左側を左座部５３として、右側を右座部５４として、以下説明する。
左座部５３と右座部５４は、中央折り目部５２を中心に左右対称をなしており、両者を区別して説明する必要がない場合には、左右の座部５１として説明する。
【００１６】
（下部連結部２１について）
座部５１は、その前部が鞄本体１１の下部に対して下部連結部２１を介して着脱可能に接続されている。この実施の形態では、下部連結部２１は、鞄本体１１に設けられた本体下部接続具２２と、座部５１の前側に設けられた座前部接続具２３を備えており、本体下部接続具２２と座前部接続具２３が着脱可能に接続される。
本体下部接続具２２は、弾性変形する係合部を備えたもので、座部収納部１５の内部の下部に固定されたベルトの先端に取り付けられており、座部５１とともに座部収納部１５内に収納される。座部５１を使用する際には、後蓋１６の少なくとも下辺が開いた状態とされ、本体下部接続具２２と座前部接続具２３が接続される。なお上記のベルトの長さは調整可能なものとすることが適当であり、鞄本体１１と座部５１が接地した状態で両者はなるべく接近した状態で接続されていることが好ましい。また座部５１の前側にカバー５８を設けるなどして、接続状態の下部連結部２１を覆って、使用者に不快感を与えないようにしておくことも好ましい。
【００１７】
（左傾斜連結部３１と右傾斜連結部４１について）
座部５１は、その左右両側が鞄本体１１の左右両サイドに対して左傾斜連結部３１と右傾斜連結部４１を介して着脱可能に接続されている。この実施の形態では、左傾斜連結部３１は、鞄本体１１の左側上部に設けられたサイド接続具３５と、座部５１の左辺に設けられた左傾斜ベルト３２を備えており、左傾斜ベルト３２の先端のベルト先端接続具３４とサイド接続具３５とが着脱可能に接続される。この実施の形態では、左傾斜ベルト３２の基端は座部５１の左辺の前側に接続されているが、左傾斜ベルト３２の中間部分と座部５１の左辺の後ろ側との間に補助ベルト３３を渡すなどして、左傾斜ベルト３２の左側の広い範囲の力が、左傾斜連結部３１を介して鞄本体１１に伝達されるようにしておくことも好ましい。
【００１８】
右傾斜連結部４１は、鞄本体１１の左側上部に設けられたサイド接続具４５と、座部５１の右辺に設けられた右傾斜ベルト４２を備えており、右傾斜ベルト４２の先端のベルト先端接続具４４とサイド接続具４５とが着脱可能に接続される。この実施の形態では、右傾斜ベルト４２の基端は座部５１の右辺の前側に接続されているが、右傾斜ベルト４２の中間部分と座部５１の右辺の後ろ側との間に補助ベルト４３を渡すなどして、右傾斜ベルト４２の左側の広い範囲の力が、右傾斜連結部４１を介して鞄本体１１に伝達されるようにしておくことも好ましい。
また左傾斜連結部３１及び右傾斜連結部４１の長さは、左傾斜ベルト３２及び右傾斜ベルト４２に長さ調整具を設けるなどして、変更可能としておくことによって、使用者がもたれた際の鞄本体１１の傾斜角度を変更することができる。
【００１９】
（芯材５５について）
左右の座部５１は、図１に示すように、芯材５５としてそれぞれ縦芯５６と横芯５７を備える。
縦芯５６は、左座部５３と右座部５４のそれぞれの前後方向に伸びるもので、この実施の形態では左座部５３の左辺と右座部５４の右辺に沿って配置されている。
横芯５７は、左座部５３と右座部５４のそれぞれの左右方向に伸びるもので、この実施の形態では左座部５３の後辺と右座部５４の後辺に沿って配置されている。
縦芯５６と横芯５７は、それぞれの端が接触するように略Ｌ字状に配置されており、両者は一体に形成することもできるし、別体に形成したものを重ね合わせておくこともできるし、適宜変更して実施することができる。
【００２０】
これら左右の横芯５７は、使用者が座部５１に足ａ（大腿部）を投げ出して腰を下ろした状態で、左右の足ａの下に位置するように設けられている（図５（Ａ）参照）。芯材５５は、座部５１の変形を抑制することができるポリカーボネート板や金属板など剛性の高い素材で構成することができる。
【００２１】
使用に際して、広げられた左座部５３と右座部５４の上に左右の足ａが投げ出された状態で、鞄本体１１に背をもたれると、前方に鞄本体１１が傾きその力が左傾斜連結部３１と右傾斜連結部４１を介して左座部５３と右座部５４に伝えられ、左右の足ａの重さによってバランスが取られることによって、転倒することなく足を投げ出してリラックスして座ることができる。
その際、横芯５７によって左座部５３と右座部５４の変形が抑制されるため、左傾斜連結部３１と右傾斜連結部４１からの力は、左右方向に分散され、左右の足ａの重さと良好に均衡することができる。また、座部５１は鞄本体１１よりも横幅が広く展開できる左座部５３と右座部５４によって構成されるため、比較的広いスペースに足ａを投げ出すことができる。なお、図５（Ａ）では横芯５７は全く変形していない状態に描かれているが、横芯５７は、左右の座部５１の変形を抑制できる強度を備えていれば足り、若干弓状に変形するものであっても構わない。
【００２２】
これに対して特許文献３や４の鞄では、図５（Ｂ）に示すように、座部６０が、鞄本体６５の横幅よりも少し狭い中央座部６１の左右両側に折り目部６２を介して補助座部６３を配置したものである。左右の補助座部６３は、中央座部６１に折り重ねられて、鞄本体６５に収納され、使用に際して左右の補助座部６３が展開され、横幅が広げられた状態で使用されるが、傾斜ベルト６４から力が加わると、補助座部６３が立ち上がってしまい、座部６０の実質的な横幅が狭くなってしまい、足ａが押されるなどして圧迫される。
たとえ本願のように横芯を配置したとしても、中央座部６１自身と補助座部６３自身のそれぞれの変形を抑制できても、折り目部６２には折り畳みの必要性から芯材を配置することができないため、上記の問題を解決することができない構造となっている。
【００２３】
本考案はこのように、従来のこの種の鞄が持つ構造上の課題を解決して座り心地を向上させたものである。
なお、この実施の形態においては、芯材５５は略Ｌ字状に配置したが、長方形など略ロ字状に配置することもできるし、大きな板材を左右の座部５１の略全体に配置するようにしても構わない。
【符号の説明】
【００２４】
１１  鞄本体
１２  前蓋
１３  蓋内開閉部
１４  肩ベルト
１５  座部収納部
１６  後蓋
１７  スライドファスナー
１８  スライダー
２１  下部連結部
２２  本体下部接続具
２３  座前部接続具
３１  左傾斜連結部
３２  左傾斜ベルト
３３  補助ベルト
３４  ベルト先端接続具
３５  サイド接続具
４１  右傾斜連結部
４２  右傾斜ベルト
４３  補助ベルト
４４  ベルト先端接続具
４５  サイド接続具
５１  座部
５２  中央折り目部
５３  左座部
５４  右座部
５５  芯材
５６  縦芯
５７  横芯
５８  カバー
６０  座部
６１  中央座部
６２  折り目部
６３  補助座部
６４  傾斜ベルト
６５  鞄本体
ａ  足
【図１】
0003229713.tif 000003
【図２】
0003229713.tif 000004
【図３】
0003229713.tif 000005
【図４】
0003229713.tif 000006
【図５】
0003229713.tif 000007